(57)【要約】【課題】ランドセルの被い蓋の内面に設けたポケット部の差入口が、該被い蓋を上方に開いた時に上側に位置するように設けてポケット部から時間割表が落下するのを防ぐことができる。【解決手段】背負帯１８を有した背板１３と、その前側に位置する前板１５との間の底部および両側面部を夫々底板１４および両側面板１６，１６で連結して四方に壁面部を有して上方に開口を設けた収容部１２を有するランドセル本体１１と前記背板１３の上端に被い蓋の基端部を縫着したランドセル１０において、被い蓋３１の裏面に合成樹脂製の柔軟で透明な表面板４１の底辺と両側辺を縫着してポケット部４０を形成し、前記被い蓋の自由端３１ｂ側にポケット部の差入口４５を設けたものである。【選択図】　図１
0003098995.tif 000002
【実用新案登録請求の範囲】
【請求項１】
背負帯（１８）を有した背板（１３）と、その前側に位置する前板（１５）との間の底部および両側面部を夫々底板（１４）および両側面板（１６，１６）で連結して四方に壁面部を有して上方に開口を設けた収容部（１２）を有するランドセル本体（１１）と前記背板（１３）の上端に被い蓋の基端部を縫着したランドセル（１０）において、
被い蓋（３１）の裏面に合成樹脂製の柔軟で透明な表面板（４１）の底辺と両側辺を縫着してポケット部（４０）を形成し、前記被い蓋の自由端（３１ｂ）側にポケット部の差入口（４５）を設けたことを特徴とするランドセル。
【請求項２】
前記ポケット部（４０）は、底辺を前記被い蓋の基端部（３１ａ）に位置させ、両側辺は細帯状に形成して上下方向に配した接着片（４３）を介して被い蓋（３１）の裏地にそれぞれ縫着し、前記ポケット部の上部に設けた差入口（４５）を該被い蓋の自由端側に位置させてなることを特徴とする前記請求項１記載のランドセル。
【考案の詳細な説明】
【０００１】
【考案の属する技術分野】
本考案は、学童用ランドセルの改良に関するものである。
【０００２】
【従来の技術】
従来、学童用ランドセルは、小学校に通う６年間という長期間使用すること、ランドセルには教科書やノートなどの重いものを収容し、且つ、教科書の数はその日の授業数に応じて多少の差があること、さらに、子供はランドセルの取扱いが乱暴であることなどから、ランドセルは経年変化により比較的短期間に皮革部分または合成皮革部分が弱って腰がなくなることが多い。ランドセルの被い蓋は、教科書などを収容する収容部の上方に設けた開口部分を蓋するもので、時間割に従って毎日教科書を出し入れして交換する必要があり、繰返し開閉するため傷みが激しく被い蓋の強度が比較的短期間に脆弱化しやすいという問題点がある。
【０００３】
図６に示すように、ランドセル５０は、上方を開口して内部に教科書やノートなどを収容する大きい収容部５２と、同じく上方を開口しその他の教材などを収容する比較的小さい収容部５５、さらに上部をジッパーなどで開閉可能に形成した前ポケット５８を設けて形成したランドセル本体５１と、該ランドセル本体の前記収容部の上方に設けた開口部分を覆う被い蓋６０とにより構成されている。
【０００４】
被い蓋６０は、前記収容部５２の背面側を構成する背板５３の上端に基端部を縫着し、他側の自由端に取付けた止金具８０を前記ランドセル本体５１の底面に取付けた受金具８３に掛脱可能に止着して形成してある。この被い蓋６０の裏面には、一週間の教科日程を表にした時間割表Ｘを収容するポケット部６５を設けてある。
【０００５】
このポケット部６５は、内部に収容した時間割表Ｘが外から見えるように略方形をした開口窓部６６を裏面材の中央部に設け、該裏面材と被い蓋の周囲を縫製により縫着してある。この裏面材の中央部に設けた開口窓部６６に透明な合成樹脂板などで形成した表面板６７を縫着してある。
【０００６】
前記開口窓部６６は、その両側辺と被い蓋６０の自由端６０ａ側との三辺を帯地片６９を介して該被い蓋６０及び裏面材とを縫着して全体を袋状に形成し、被い蓋６０の基端部側、即ち、被い蓋をランドセル本体の上面から持ち上げて開口部分を開いた状態において、下側を開口させて設けた差入口７１から時間割表Ｘを出し入れするように構成してある。
【０００７】
図８に示すように、ランドセル本体５１の収容部の開口部分を被い蓋６０で塞いだ場合に、この差入口７１の位置が上側に位置するように、被い蓋３１の基端部側ではなく自由端側に位置させ、ランドセルを背負って登校下校の際に時間割表がランドセルの被い蓋の裏面に設けたポケット部の差入口７１から落下するのを防止するように形成してある。
【０００８】
したがって、被い蓋６０はランドセル本体５１の第１の収容部５２および第２の収容部５５の上方の開口部分、そして前ポケット５８を覆うように形成してあるのが通常である（図８）。
【０００９】
そこで、前記被い蓋６０を開いて上方に持ち上げた時に、ポケット部６５内に収容した時間割表Ｘが落下するのを防止するため、差入口７１に開閉ファスナー（図示せず）を取付けたものがある（例えば、特許文献１参照。）。
【００１０】
【特許文献１】
特開２０００−４９１９号　第２−３頁　図１
【００１１】
このポケット部６５内に収容する時間割表Ｘの脱落を防止するため、被い蓋６０の裏面に直接又は間接的に、ポケット部の代わりに升目を印刷した時間割表を形成し、該時間割表に各授業科目の表示シールを剥離可能に貼着する形式のものもある（例えば、特許文献２参照。）。
【００１２】
【特許文献２】
特開平８−２５２１１０号　第２−３頁　図１
【００１３】
【考案が解決しようとする課題】
前述のように、ポケット部６５に収容した時間割表Ｘは、止金具を外してランドセル本体の上方に被い蓋６０を持ち上げて収容部の上方の設けた開口部分を開放したときに該開口部から落下しやすい。また、ランドセルを背負って登校下校の際に、ポケット部から時間割表が落下するのを防止するため、該ポケット部の底部側を被い蓋の自由端側に位置させ、被い蓋で前記収容部の開口部を閉鎖させる場合に該ポケット部の差入口７１は該ランドセルを背負った場合に上側に位置するように形成してある（図８）。
【００１４】
ポケット部６５は、被い蓋６０の自由端６０ａと、該被い蓋の両側辺６０ｂ、６０ｂとの三辺を、帯地片６１を用いて被い蓋と裏面材を一体に縫着して形成してある。この場合、縫目Ｕが被い蓋６０の表面側に表われるとデザインが固定化して見た目が良くないので、縫目Ｕに合わせた模様を形成する必要があった。
【００１５】
そこで本考案は、ランドセルの被い蓋が経年変化により腰が弱くなっても、該被い蓋を開いた際、ポケット部に収容した時間割表が落下して紛失するのを防止するランドセルを提供することを目的とする。
【００１６】
【課題を解決するための手段】
上記課題を解決するための手段として、本考案は、背負帯１８を有した背板１３と、その前側に位置する前板１５との間の底部および両側面部を夫々底板１４および両側面板１６，１６で連結して四方に壁面部を有して上方に開口を設けた収容部１２を有するランドセル本体１１と前記背板１３の上端に被い蓋の基端部を縫着したランドセル１０において、被い蓋３１の裏面に合成樹脂製の柔軟で透明な表面板４１の底辺と両側辺を縫着してポケット部４０を形成し、前記被い蓋の自由端３１ｂ側にポケット部の差入口４５を設けたことを特徴とする。また、前記ポケット部４０が、底辺を前記被い蓋の基端部３１ａに位置させ、両側辺は細帯状に形成して上下方向に配した接着片４３を介して被い蓋３１の裏地にそれぞれ縫着し、前記ポケット部の上部に設けた差入口４５を該被い蓋の自由端側に位置させてなることを特徴とするものである。
【００１７】
したがって、ランドセルが経年変化により変形して腰がなくなった蓋板であっても、該被い蓋を上方に持ち上げて収容部の開口部分を開いたときに、ポケット部の差入口が上側に位置して設けてあるため、時間割表が落下することがないので時間割表の紛失を防止できる。
【００１８】
【考案の実施の形態】
本考案の実施の形態を図面に基づいて説明すると、図１はランドセルの被い蓋を開いた状態の斜視図、図２はランドセルの正面図、図３はランドセルの側面図、図４は被い蓋を構成する表地とポケット部を設けた裏地とを縫着する前の状態を示す要部断面図、図５は被い蓋を構成する表地にポケット部を設けた裏地を縫着して被い蓋を形成した要部断面図である。このランドセル１０は、皮革または合成皮革などで形成したランドセル本体１１と被い蓋３１とで構成してある。
【００１９】
ランドセル本体１１は、教科書やノートや筆箱などを収納する大きな第１の収容部１２と、その他の学習用具などを入れる小さな第２の収容部２０と、該第２の収容部２０の前面に、上面に取り付けたジッパー２７で開閉可能に設けた小物入部２５を形成してある。
【００２０】
第１の収容部１２は、学童の背中に面して位置するランドセルを背板１３と、その前方に位置する前板１５との間の底部分および両側面部分を、底板１４及び両側面板１６、１６で連結して四方に壁面部を有し、上方に開口部分を有して設けてある。
【００２１】
背板１３は、不織布に合成樹脂材を含浸させて硬化したものや、ボール紙に合成樹脂材を含浸させて硬化したもの、或いは、合成樹脂板で形成した芯板（図示せず）を装着してある。この芯板の背面側には、発泡性合成樹脂材で形成したクッション板（図示せず）と、皮革または合成皮革などからなる表地（図示せず）を接着して形成し、前記芯板の内側には合成繊維材などで形成した裏地（図示せず）を接着し、前記収容部１２の上縁部分をひも状の帯片１７を当てて縫着して補強し、この背板１３の背面側の上部中央に背負帯１８を設けてある。
【００２２】
第２の収容部２０は、前記前板１５と、第２の背板２１との間を細巾の底板部と両側板部とを一体または別体に形成した幅枠板２２とからなり、前記前板１５及び第２の背板２１には、前記芯板と同様に不織布に合成樹脂材を含浸させて硬化させたものや、ボール紙に合成樹脂材を含浸させて硬化させたもの、あるいは、合成樹脂板などで形成した芯板（図示せず）の外側に皮革または合成皮革などからなる表地（図示せず）を接着し、芯板の内側には合成繊維材などで形成した裏地（図示せず）をそれぞれ接着してある。
【００２３】
小物入部２５は、表側に皮革または合成皮革などからなる表地と合成繊維材などで形成した裏地とを接着して袋状に形成し、上面部２６の中央部分にジッパー２７を装着して開閉可能に形成し、該小物入部の前面略中央部に前記被い蓋３１の自由端を着脱可能に係止する受金具２９を取付けてある。この受金具２９は図１〜３においては、小物入部の前面略中央部に取付けてあるが底板１４に取付けてもよいことはもちろんである。
【００２４】
図４、５に示すごとく、被い蓋３１は、皮革または合成皮革などで形成した表地３２と裏地３３とを互いに接着させると共に、該表地３２と裏地３３の周縁部分を縁取片３５でＵ字状に包み込んで縫着してある。
【００２５】
図３において、被い蓋３１の基端部３１ａを前記ランドセル本体１１の背板１３の上端に後記する表面板４１と同時に縫着し、該被い蓋の先端側の自由端３１ｂには、前記小物入部２５の前面中央部分に設けた受金具２９と係脱可能に止着する止金具３６を取付けてある。この被い蓋３１の長さは、基端側を背板１３の上端に縫着し、他端の自由端３１ｂを小物入部２５の略中央付近に位置させるように短く形成し、被い蓋の下端を底板１４の部分に届くように形成しないと皮革材料などが少なくてすむので材料費は軽減し、コストダウンを図ると共にランドセルの軽量化を図ることもできる。この被い蓋は、底板１４に届くように形成してもよいことはもちろんである。
【００２６】
被い蓋３１の裏面に取付けるポケット部４０は、該被い蓋の裏面に位置する裏地３３にビニールまたは合成樹脂材で形成した柔軟で透明な表面板４１の両側辺で、且つ、上下方向に位置させた細帯状の接着片４３、４３と直交させるように前記縁取片３５を該表面板４１の上部に縫着し、ポケット部４０の底辺は前記したように背板１３の上端に被い蓋３１の基端部と共に縫着して形成してある。
【００２７】
図４に示すように、表面板４１の両側部分は、被い蓋３１の表地３２の裏面に位置する裏地３３の両側に位置させた接着片４３、４３に縫目Ｓで縫着したことにより、裏地３３と表面板４１とでポケット部４０を形成する縫目Ｓ，Ｓは、被い蓋３１の表面側には表われないので、被い蓋の表面を美しく形成することができる。さらに、柔軟で透明な表面板４１の上端縁部には、縁取片３５でＵ字状に包み込んで縫着して設けた差入口４５に亀裂が入るのを防止するために補強してある。
【００２８】
この被い蓋３１の表地３２の端部と裏地３３および接着片４３の端部を、縁取片３５をＵ字状にして包み込んで縫目Ｔにより縫着固定する。この縫目Ｔは、被い蓋３１の表面側であって、周縁部分に沿って現れるが、縫目Ｓは被い蓋３１の表面側に現れない構成である。
【００２９】
本考案に係る実施形態の作用について説明すると、ランドセル１０の被い蓋３１の裏面に設けたポケット部４０の底部は、ランドセル本体１１の背板１３の上端に位置し、該ポケット部の上部に設けた差入口４５を被い蓋３１の裏面に設け、且つ、該被い蓋の自由端３１ｂを、図１に示すように上方に持ち上げた場合、該差入口４５が上側に位置しているため、該ポケット部４０の内部に収容した時間割表などの紙が該ポケット部から落下することはない。
【００３０】
また、被い蓋３１は、ランドセル本体１１の各収容部の上方に位置する開口部分を覆った場合には、図３に示すように、ポケット部４０は、主要部分が湾曲して表示板４１と時間割表Ｘとが密着するため、ポケット部４５内に収容した時間割表Ｘが外部に落下するのを防止することができる。
【００３１】
時間割表にあわせて毎日教科書を出し入れする場合、ランドセル１０の被い蓋３１を上方に持ち上げて収容部１２の上方に設けた開ロ部分を開いたときに、ポケット部４０の差入口４５が上側に位置するように設けてある。そのため、たとえ被い蓋３１の腰がなくなって強度が劣化して差入口４５がゆるくなっても、被い蓋３１を上方に持ち上げた状態では、ポケット部４０の差入口４５は上側に位置しているので時間割表Ｘが下方に落下するのを防止することができ、被い蓋３１を頻繁に開閉してもポケット部４０内の時間割表Ｘの紛失を防止して忘れ物や時間割の間違いを防止できる。
【００３２】
【考案の効果】
本考案に係るランドセルは、被い蓋の裏面に取付けたポケット部の底辺を背板の上端部分に位置し、該ポケット部の差入口はランドセル本体の収容部の開口を開けるため被い蓋の自由端を上方に持ち上げた場合の該被い蓋の自由端側、即ち上側に設けたことにより、被い蓋の腰がなくなって差入口がゆるくなった場合でも、ポケット部から時間割表が落下するのを防ぐことができる。
【図面の簡単な説明】
【図１】本考案に係るランドセルの被い蓋を開いた状態の斜視図である。
【図２】同ランドセルの正面図である。
【図３】同ランドセルの側面図である。
【図４】被い蓋を構成する表地とポケット部を設けた裏地とを縫着する前の状態を示す要部断面図である。
【図５】被い蓋を構成する表地にポケット部を設けた裏地を縫着して被い蓋を形成した要部断面図である。
【図６】従来のランドセルの被い蓋を開いた状態の斜視図である。
【図７】従来のランドセルの正面図である。
【図８】従来のランドセルの側面図である。
【符号の説明】
１０　　ランドセル
１１　　ランドセル本体
１２　　収容部
１３　　背板
１４　　底板
１５　　前板
１６　　側面板
１８　　背負帯
３１　　被い蓋
３１ａ　基端部
３１ｂ　自由端
４０　　ポケット部
４１　　表面板
４３　　接着片
４５　　差入口
Ｘ　　　時間割表
【図１】
0003098995.tif 000003
【図２】
0003098995.tif 000004
【図３】
0003098995.tif 000005
【図４】
0003098995.tif 000006
【図５】
0003098995.tif 000007
【図６】
0003098995.tif 000008
【図７】
0003098995.tif 000009
【図８】
0003098995.tif 000010